(57)【要約】【課題】高地において使用した際にポンプの保護を図ることができる建設機械を提供する。【解決手段】油圧ポンプ１と、油圧ポンプ１を駆動するエンジン１と、エンジン１によって駆動されるアクチュエータとを備えた建設機械である。高度に応じてエンジン２の最高回転数を変化させる制御を行う。大気圧に応じて油圧ポンプ１の吸収馬力を変化させる制御を行う。高度に応じてエンジン２が出せる最大馬力を、油圧ポンプ１に吸収させる制御を行うエンジン回転数制御を行う。【選択図】図１
2006112287.tif 000002
【特許請求の範囲】
【請求項１】
油圧ポンプ（１）と、この油圧ポンプ（１）を駆動するエンジン（２）と、このエンジン（２）によって駆動されるアクチェータとを備えた建設機械であって、大気圧に応じて上記エンジン（２）の最高回転数を変化させる制御を行うことを特徴とする建設機械。
【請求項２】
高度に応じて上記油圧ポンプ（１）の吸収馬力を変化させる制御を行うことを特徴とする請求項１の建設機械。
【請求項３】
エンジン（２）の目標回転数を指令する入力手段（４０）と、エンジン（２）の実回転数を検知する検知手段（４１）と、上記目標回転数と実回転数との偏差を求め、この偏差に基づいて上記油圧ポンプ（１）の最大吸収トルクを制御する制御手段（４２）とを備え、高度に応じてエンジン（２）が出せる最大馬力を、油圧ポンプ（１）に吸収させるように構成したことを特徴とする請求項１又は請求項２の建設機械。
【発明の詳細な説明】
【技術分野】
【０００１】
この発明は、建設機械に関するものである。
【背景技術】
【０００２】
一般に、油圧ショベル等の建設機械は、図７に示すように、下部走行体５０と、上部旋回体５１と、この上部旋回体５１に連設される作業機５２とを備える。また、作業機５２は、上部旋回体５１から突設されるブーム５３と、このブーム５３に連結されるアーム５４と、このアーム５４に付設されるバケット５５等を有する。そして、ブーム５３はブーム用シリンダ機構５６の駆動にて揺動し、アーム５４はアーム用シリンダ機構５７の駆動にて揺動し、バケット５５はバケット用シリンダ機構５８の駆動にて揺動する。この際、各シリンダ機構は油圧にて駆動する。すなわち、使用する油圧機器としては、油圧ポンプと、この油圧ポンプを駆動するエンジンとを備え、この油圧ポンプの駆動によって、アクチュエータである上記各シリンダ機構が駆動する。また、作業時にはアクチュエ−タが受ける負荷を油圧ポンプに伝え、油圧ポンプの負荷によるエンジンの回転数変動をエンジン回転センサと燃焼ダイヤルの出力信号で検出する。さらにポンプコントローラがその信号を受けて演算し、ポンプ吐出量を制御することにより、エンジンの出力トルクとポンプ吸収トルクをマッチングさせている。
【０００３】
しかしながら、気圧が低い高地において作業する場合、大気圧の低下によってエンジンの燃焼効率が悪くなり、エンジンの出力トルクが低下する。そのため、油圧ポンプの入力トルクがエンジンの出力トルクよりも大きくなって、エンストを起す場合があった。そこで、従来では、気圧が低い高地において作業する場合、油圧ポンプの入力トルクを、低下したエンジンの出力トルクよりも低下させて、エンストを回避しようとするものがあった（例えば、特許文献１参照）。
【特許文献１】実開昭６０−３９７８０号公報
【発明の開示】
【発明が解決しようとする課題】
【０００４】
ところが、気圧が低い高地においては、大気圧が低くなるために、油圧ポンプの吸込み圧が低下し、これによってキャビテーションが発生するおそれがあった。すなわち、油圧ポンプの吸込み圧が負圧になり易く、ポンプの保護が図れなかった。
【０００５】
この発明は、上記従来の欠点を解決するためになされたものであって、その目的は、高地において使用した際に油圧ポンプの保護を図ることができる建設機械を提供することにある。
【課題を解決するための手段】
【０００６】
そこで請求項１の建設機械は、油圧ポンプ１と、この油圧ポンプ１を駆動するエンジン１と、このエンジン１によって駆動されるアクチュエータとを備えた建設機械であって、大気圧に応じて上記エンジン２の最高回転数を変化させる制御を行うことを特徴としている。
【０００７】
請求項２の建設機械は、高度に応じて上記油圧ポンプ１の吸収馬力を変化させる制御を行うことを特徴としている。
【０００８】
請求項３の建設機械は、エンジン２の目標回転数を指令する入力手段４０と、エンジン２の実回転数を検知する検知手段４１と、上記目標回転数と実回転数との偏差を求め、この偏差に基づいて上記油圧ポンプ１の最大吸収トルクを制御する制御手段４２とを備え、高度に応じてエンジン２が出せる最大馬力を、油圧ポンプ１に吸収させるように構成したことを特徴としている。
【発明の効果】
【０００９】
請求項１の建設機械によれば、大気圧に応じてエンジンの最高回転数を変化させることになる。このため、気圧が低い高地において、油圧ポンプの吸込み圧が低下するときに、エンジンの最高回転数を減少させることができ、気圧が低い高地においても、油圧ポンプの吸込み圧が負圧になるのを防止することができる。このため、気圧が低い高地においても、油圧ポンプの吸込み圧が負圧になるのを防止することができて、油圧ポンプを保護することができ、気圧が低い高地であっても、気圧が低くない低地であっても、長期にわたって安定したアクチュエータの駆動が可能となる。
【００１０】
請求項２の建設機械によれば、高度に応じて上記油圧ポンプの吸収馬力を変化させることになる。このため、気圧が低い高地においても、この油圧ポンプの吸収馬力の制御で、エンジン噴射量（エンジン出力）が制御される。このため、気圧が低い高地であっても、エンジンの保護を図ることができ、ターボチャージャーの過回転防止、排気温度の基準値以上の上昇防止が可能となって、長期にわたって、安定したアクチュエータの駆動が可能である。
【００１１】
請求項３の建設機械によれば、検知された実回転数が目標回転数に対して低下している場合、目標回転数と実回転数との偏差が大きくなるにしたがって油圧ポンプの最大吸収トルクを減少させるエンジンスピードセンシング制御を行うことができるので、このような場合でも、油圧ポンプの最大吸収トルクを低下させて、エンジンを停止させることなく、エンジンの出力を有効に利用できる。このため、高度に対応した最適なエンジン回転数とポンプ出力とでもって作動させることができ、高効率の運転が可能となって省エネ化を達成することができる。
【発明を実施するための最良の形態】
【００１２】
次に、この発明の建設機械の具体的な実施の形態について、図面を参照しつつ詳細に説明する。図１にこの発明の建設機械の油圧機器のシステム図を示す。この制御装置は、油圧ポンプ１、１と、この油圧ポンプ１、１を駆動するエンジン２と、ポンプ制御用バルブ群３、４等を備える。すなわち、建設機械は、例えば油圧ショベル等であり、下部走行体と、上部旋回体と、この上部旋回体に連設される作業機とを備える。また、作業機は、上部旋回体から突設されるブームと、このブームに連結されるアームと、このアームに付設されるバケット等を有する。そして、ブームはブーム用シリンダ機構の駆動にて揺動し、アームはアーム用シリンダ機構の駆動にて揺動し、バケットはバケット用シリンダ機構の駆動にて揺動する。この際、この油圧機器の上記油圧ポンプ１、１の駆動によって、アクチュエータである上記各シリンダ機構が駆動することになる。
【００１３】
また、この油圧機器には、エンジンガバナの回転数をセットする燃料ダイヤル５と、エンジン２の回転数を検知する回転センサ６と、ガバナ・ポンプコントローラ７等を備える。そして、この建設機械では、重掘削モード（作業機の高負荷状態での作業モード）では、ポンプ負荷が上昇し、圧力が上昇するとエンジン回転数が低下してくる。このときポンプ吐出量を下げて、エンジン回転数が、所定出力点付近の回転数になるようにコントロールする。逆に、圧力が低くなると、所定出力点付近の回転数になるようにポンプ吐出量を増加させるようにコントロールする。また、通常の掘削モード等においては、ポンプ負荷が上昇し、圧力が上昇するとエンジン回転数が低下してくる。このときエンジン側とポンプ側の複合制御によりポンプ吸収トルクをエンジンの等馬力カーブに沿って、トルクを一定に保ちながらエンジン回転数を下げるようにコントロールする。これにより燃費効率のよい領域でエンジン２を使用することになる。なお、バルブ群３、４は、それぞれ、油圧ポンプ１の斜板８に接続されるサーボバルブ９と、ＬＳバルブ１０と、ＰＣバルブ１１とを備える。また、ガバナ・ポンプコントローラ７と、アクチュエータの操作用メインバルブ１２との間に、ＰＣ−ＥＰＣバルブ１３、ＬＳ−ＥＰＣバルブ１４、及び自己減圧弁１５等が介設されている。
【００１４】
ところで、このような建設機械を気圧が低い高地で使用すれば、油圧ポンプ１の吸込み圧が低下し、これによってキャビテーションが発生するおそれがあった。そこで、この建設機械では、大気圧に応じて上記エンジン２の最高回転数を変化させる制御を行うようにしている。すなわち、図２に示すように、高度毎のエンジン２の最高回転数を設定し、各高度での作業時においてこのエンジン２の最高回転数をその設定されたものとする。この図２において、ａは例えば高度が２２００ｍ以上３０００ｍ未満での最高回転数ラインであり、ｂが例えば高度が３０００ｍ以上３８００ｍ未満での最高回転数ラインであり、ｃが例えば高度が３８００ｍ以上４６００ｍ未満での最高回転数ラインであり、ｄが例えば高度が４６００ｍ以上５０００ｍ未満での最高回転数ラインである。
【００１５】
この場合、図示省略の高度検出器（大気圧検出センサ）にて、高度が検知され、この高度に基づいて、例えば、この建設機械のオペレータが図示省略の指示ボタンを操作することによって、上記ガバナ・ポンプコントローラ７に高度指示を行う。これによって、エンジン２の最高回転数が上記のように制御される。このため、気圧が低い高地で使用して油圧ポンプ１の吸込み圧が低下しても、エンジン２の最高回転数を変化させることによって、油圧ポンプ１の吸込み圧が負圧になるのを防止することができる。
【００１６】
また、この油圧装置では、高度に応じて油圧ポンプ１の吸収馬力を変化させる制御を行うことができる。すなわち、吸収馬力を制御することによって、エンジン噴射量（エンジン出力）を、図３に示すように、高度毎に変化させる。ａ１は例えば高度が２２００ｍ以上３０００ｍ未満でのエンジン出力であり、ｂ１が例えば高度が３０００ｍ以上３８００ｍ未満でのエンジン出力であり、ｃ１が例えば高度が３８００ｍ以上４６００ｍ未満でのエンジン出力であり、ｄ１が例えば高度が４６００ｍ以上５０００ｍ未満でのエンジン出力である。これによって、気圧が低い高地において、この油圧ポンプ１の吸収馬力の制御で、エンジン噴射量（エンジン出力）が制御され、エンジン２の保護を図ることができる。この場合、気圧が低い高地においては、油圧ポンプ１の吸収馬力を低下させることによって、エンジン出力を低下させることになる。
【００１７】
このため、この建設機械では、図４に示すように、高度に応じたエンジン回転数とポンプ吸収馬力とすることができる。この図４においては、ａ２、ｂ２、ｃ２、及びｄ２は、それぞれ等馬力線を示し、この馬力は、ａ２＞ｂ２＞ｃ２＞ｄ２である。なお、図２〜図４において、Ａ、Ａ１はそれぞれポンプ最大吸収トルクカーブを示し、Ｂ、Ｂ１はそれぞれポンプ最小吸収トルクカーブを示している。
【００１８】
上記建設機械によれば、大気圧に応じてエンジン２の最高回転数を変化させることになる。このため、気圧が低い高地において、油圧ポンプ１の吸込み圧が低下するときに、エンジン２の最高回転数を減少させることができる。これによって、気圧が低い高地においても、油圧ポンプ１の吸込み圧が負圧になるのを防止することができて、油圧ポンプ１を保護することができる。すなわち、気圧が低い高地であっても、気圧が低くない低地であっても、長期にわたって安定したアクチュエータの駆動が可能となる。しかも、高度ごとに燃料噴射量を調整する必要がなく、高度毎にエンジン噴射ポンプを交換したり、高度毎にポンプ出力をセットしたりする必要がないので、コストの低減を図ることができると共に、高度に合った運転が可能となる。また、高度に応じて油圧ポンプ１の吸収馬力を変化させることになるので、気圧が低い高地においても、この油圧ポンプ１の吸収馬力の制御で、エンジン噴射量（エンジン出力）が制御される。すなわち、気圧が低い高地であっても、エンジン２の保護を図ることができる。このため、ターボチャージャーの過回転防止、及び排気温度の基準値以上の上昇防止が可能となって、長期にわたって、安定したアクチュエータの駆動が可能である。
【００１９】
次に図５は他の実施の形態を示し、この場合、油圧ポンプ１として、第１ポンプ１ａ、１ａと、第２ポンプ１ｂ、１ｂと、第３ポンプ１ｃ、１ｃとを有している。また、コントローラとしてエンジンコントローラ１６とポンプコントローラ１７とを備える。そして、各ポンプ１ａ、１ｂ、１ｃにはそれぞれポンプ制御用バルブ群１８、１９、２０が接続されている。第１ポンプ１ａ、１ａのポンプ制御用バルブ群１８は、油圧ポンプ１ａ、１ａの斜板８、８に接続されるサーボバルブ２１、２１と、ＮＣバルブ２２、２２と、ＣＯバルブ２３、２３とを有し、第２ポンプ１ｂ、１ｂは、斜板８、８に接続されるサーボバルブ２４、２４を有し、第３ポンプ１ｃ、１ｃは、第３ポンプ１ｃ、１ｃの斜板８、８に接続されるサーボバルブ２５、２５と、ＮＣバルブ２６と、ＣＯバルブ２７とを有する。
【００２０】
また、この油圧装置には、ポンプ冗長スイッチ２８が設けられ、通常の掘削モード等のおいて、コントローラやセンサ等の機器に異常が生じた場合に、このポンプ冗長スイッチ２８をＯＮ状態とする。ポンプ冗長スイッチ２８がＯＮ状態となれば、ほぼ掘削モード相当の吸収トルクによりこの建設機械の機能を確保するようにしている。この場合、バッテリ２９からＴＶＣバルブ３０のソレノイド３１に一定の電流が流れる構造となっている。
【００２１】
そして、この油圧装置では、図示省略の高度検出器（大気圧検出センサ）にて、高度が検知され、この大気圧検出センサからの高度信号に基づいて、エンジンコントローラ１６にて、エンジン２の最高回転数をその高度に合ったものに自動的に設定する。また、ポンプコントローラ１７は、エンジンコントローラ１６から燃料噴射量の信号を得て、ポンプ出力制御を行う。このため、この図５に示す油圧装置においても、高度に応じてエンジン２の最高回転数を変化させることができると共に、高度に応じて油圧ポンプ１の吸収馬力を変化させることになる。このため、気圧が低い高地において油圧ポンプ１を保護することができ、気圧が低い高地であっても、気圧が低くない低地であっても、長期にわたって安定したアクチュエータの駆動が可能となる。
【００２２】
さらに、この建設機械では、エンジン２の目標回転数を指令することができる入力手段４０（燃料ダイヤル５等）を備え、そして、エンジンコントローラ１６とポンプコントローラ１７が、この入力された目標回転数と、回転センサ６からなる検知手段４１にて検知した実回転数との偏差を求め、この偏差に基づいて油圧ポンプ１の最大吸収トルクを制御する制御手段４２を構成することになり、いわゆるエンジンスピードセンシング制御を行っている。すなわち、検知された実回転数が目標回転数に対して低下したときに、この偏差が大きくなるにしたがって油圧ポンプ１の最大吸収トルクを減少させるようにして、油圧ポンプ１の吸収トルクとエンジン２の出力トルクとのマッチングを行う。これにより、高度に応じてエンジン２が出せる最大馬力を、油圧ポンプ１に吸収させるようにして、エンジン停止を防止すると共に、エンジンの出力を有効に利用できるようにしている。
【００２３】
この際、図６にフローチャート図にしたがって制御される。まずステップＳ１で高度を検知する。次にステップＳ２へ移行して、高度信号をコントローラに送信して、ステップＳ３で示すように、エンジン２の最高回転数を設定する。その後は、ステップＳ４へ移行して実際のエンジン回転数（実回転数）を検知する。次にステップＳ５へ移行して、実回転数と目標回転数とを比較する。そして、実回転数＜目標回転数であれば、ステップＳ６へ移行し、実回転数≧目標回転数であれば、ステップＳ４へ戻る。ステップＳ６では、油圧ポンプ１の最大吸収トルクを減少させる。
【００２４】
上記図５に示す油圧装置では、オペレータ等が高度に応じてコントローラに高度指示のための入力を行う必要がなく、高度に応じてエンジン回転数とポンプ出力の最適制御を自動的に行うことができ、高効率の運転が可能となって、省エネ化を達成することができる。
【００２５】
また、この図５に示す油圧装置においては、エンジン出力馬力を高度に応じて設定された馬力に自動的に変更するようにすると共に、オペレータが高度に応じてエンジン２の最高回転数の変更指示を行うようにすることも可能である。
【００２６】
以上にこの発明の具体的な実施の形態について説明したが、この発明は上記形態に限定されるものではなく、この発明の範囲内で種々変更して実施することができる。例えば、高度に応じたエンジン２の最高回転数ラインは、上記図２の実施の形態では、４種類であったが、もちろんこの４種類に限るものではなく、設定する高度や、その設定された高度におけるエンジン２の最高回転数の変更も可能である。また、吸収馬力を制御することによって、エンジン噴射量（エンジン出力）を変化させる場合、上記図３では、４種類であったが、もちろんこの４種類に限るものではない。また、高度を検知する手段として、上記実施形態では、気圧センサを用いて気圧（大気圧）を利用したが、高地になるに従って気温も低下するので、温度センサ等を用いて気温（外気温度）の変化を大気圧とともに高度の補正に利用するようにしてもよい。なお、建設機械として油圧ショベルに限るものではなく、油圧ショベル以外の種々の建設機械に適用することができる。
【図面の簡単な説明】
【００２７】
【図１】この発明の建設機械の実施形態を示す簡略図である。
【図２】上記建設機械のエンジン回転数とポンプ吸収トルクとの関係を示すグラフ図である。
【図３】上記建設機械のエンジン回転数とポンプ吸収トルクとの関係を示すグラフ図である。
【図４】上記建設機械のエンジン回転数とポンプ吸収トルクとの関係を示すグラフ図である。
【図５】この発明の建設機械の他の実施形態を示す簡略図である。
【図６】上記建設機械の制御方法を説明するフローチャート図である。
【図７】建設機械の簡略図である。
【符号の説明】
【００２８】
１・・油圧ポンプ、２・・エンジン
【図１】
2006112287.tif 000003
【図２】
2006112287.tif 000004
【図３】
2006112287.tif 000005
【図４】
2006112287.tif 000006
【図５】
2006112287.tif 000007
【図６】
2006112287.tif 000008
【図７】
2006112287.tif 000009